(57)【要約】【課題】  鍔部を有するコネクタフェルールの固定及び開放を簡単に行うことができる光コネクタ組立工具を提供する。【解決手段】  光コネクタ組立工具１は、ベース５に設けられ、コネクタフェルール４を収容するフェルール収容凹部２４を有するフェルール保持部６と、ベース５上をフェルール保持部６に向けて移動可能に設けられ、位置決め部材９を保持する位置決め部材保持部１０を有するスライダ８と、フェルール保持部６に対してスライダ８の反対側に配置され、光ファイバテープ心線２を保持する心線保持部１１とを備えている。フェルール保持部６は、フェルール収容凹部２４に収容されたコネクタフェルール４の鍔部１４を係止するクランプレバー２６と、フェルール収容凹部２４の下側に配置され、鍔部１４を係止させる方向と鍔部１４の係止を解除させる方向とにクランプレバー２６を動かす手段とを有している。【選択図】  図１
2006113152.tif 000002
【特許請求の範囲】
【請求項１】
光ファイバ心線の先端部分から露出された光ファイバをコネクタフェルールのファイバ穴に挿入し、前記光ファイバと位置決め部材とを突き合わせて前記光ファイバの先端を位置決めし、その状態で前記光ファイバを前記コネクタフェルールに固定する光コネクタ組立工具であって、
ベースに設けられ、前記コネクタフェルールを収容するフェルール収容部と、
前記フェルール収容部に収容された前記コネクタフェルールを固定するフェルール固定手段と、
前記ベース上を前記フェルール収容部に向けて移動可能に設けられ、前記位置決め部材を保持する位置決め部材保持部と、
前記フェルール収容部に対して前記位置決め部材保持部の反対側に配置され、前記光ファイバ心線を保持する心線保持部とを備え、
前記フェルール固定手段は、前記コネクタフェルールに設けられた鍔部を係止する係止部材と、前記フェルール収容部の下側に設けられ、前記鍔部を係止させる方向と前記鍔部の係止を解除させる方向とに前記係止部材を動かす手段とを有することを特徴とする光コネクタ組立工具。
【請求項２】
前記係止部材を動かす手段は、前記ベースの一側面側から他側面側に向けて延在するように配置されると共に、前記係止部材に固定された連結部材と、前記連結部材の一端部に固定され、前記連結部材を前記ベースの一側面側から他側面側に向けて押し込むための操作部と、前記係止部材または前記連結部材の他端部と前記ベースの内壁との間に設けられ、前記操作部側に付勢する弾性体とを有することを特徴とする請求項１記載の光コネクタ組立工具。
【請求項３】
前記フェルール収容部は、前記鍔部を有する前記コネクタフェルールに対応した段差状を有していることを特徴とする請求項２記載の光コネクタ組立工具。
【請求項４】
前記フェルール収容部は、前記コネクタフェルールにおける前記ファイバ穴の両側に形成された１対のガイド孔に挿入される１対の位置決めピンを有することを特徴とする請求項２記載の光コネクタ組立工具。
【請求項５】
前記係止部材は、前記フェルール収容部に前記コネクタフェルールを収容した状態において、前記コネクタフェルールの側面との間隔が前記位置決め部材保持部側に対して大きくなるような形状を有していることを特徴とする請求項４記載の光コネクタ組立工具。
【発明の詳細な説明】
【技術分野】
【０００１】
本発明は、光ファイバ心線の先端部分から露出された光ファイバをコネクタフェルールに固定して、光コネクタを組み立てるための光コネクタ組立工具に関するものである。
【背景技術】
【０００２】
光コネクタの中には、ＭＴコネクタのようにコネクタフェルールに鍔部が設けられているものがある。このようなＭＴコネクタを組み立てるための光コネクタ組立工具としては、例えば特許文献１に記載されているものが知られている。この文献に記載の光コネクタ組立工具は、ベースの溝に収容された位置決めブロック及びコネクタハウジング（コネクタフェルール）を有し、コネクタハウジングに挿入されたテープ心線から露出された裸ファイバの先端面を位置決めブロックに突き当てた状態で、裸ファイバとコネクタハウジングとを接着剤等で固定するものである。
【特許文献１】特開平９−１９７１９０号公報
【発明の開示】
【発明が解決しようとする課題】
【０００３】
しかしながら、上記の光コネクタ組立工具においては、ベースの溝に配置されたクリップにコネクタフェルールをクランプさせる構造であるため、コネクタフェルールをベースに固定したり、コネクタフェルールをベースから開放するのに手間がかかる。このため、光コネクタ組み立ての作業性を向上させることが困難である。
【０００４】
本発明の目的は、鍔部を有するコネクタフェルールの固定及び開放を簡単に行うことができる光コネクタ組立工具を提供することである。
【課題を解決するための手段】
【０００５】
本発明は、光ファイバ心線の先端部分から露出された光ファイバをコネクタフェルールのファイバ穴に挿入し、光ファイバと位置決め部材とを突き合わせて光ファイバの先端を位置決めし、その状態で光ファイバをコネクタフェルールに固定する光コネクタ組立工具であって、ベースに設けられ、コネクタフェルールを収容するフェルール収容部と、フェルール収容部に収容されたコネクタフェルールを固定するフェルール固定手段と、ベース上をフェルール収容部に向けて移動可能に設けられ、位置決め部材を保持する位置決め部材保持部と、フェルール収容部に対して位置決め部材保持部の反対側に配置され、光ファイバ心線を保持する心線保持部とを備え、フェルール固定手段は、コネクタフェルールに設けられた鍔部を係止する係止部材と、フェルール収容部の下側に設けられ、鍔部を係止させる方向と鍔部の係止を解除させる方向とに係止部材を動かす手段とを有することを特徴とするものである。
【０００６】
このような光コネクタ組立工具を用いて、鍔部を有するコネクタフェルールに光ファイバ心線を組み付ける場合は、まずコネクタフェルールをフェルール収容部に収容し、その状態でフェルール固定手段によってコネクタフェルールを固定する。このとき、係止部材を動かしてコネクタフェルールの鍔部を係止部材で係止することにより、コネクタフェルールを固定する。また、位置決め部材保持部により位置決め部材を保持する。そして、光ファイバ心線の先端部分から露出された光ファイバをコネクタフェルールのファイバ穴に挿入した後、心線保持部により光ファイバ心線を保持する。続いて、位置決め部材保持部をフェルール収容部に向けて移動させ、位置決め部材と光ファイバとを突き合わせ、光ファイバの先端位置を位置決めする。その状態で、例えば接着剤により光ファイバをコネクタフェルールに固定する。その後、位置決め部材保持部を元の位置に戻した後、係止部材を動かしてコネクタフェルールの鍔部の係止を解除することにより、コネクタフェルールを開放し、光ファイバ心線が組み付けられたコネクタフェルールをフェルール収容部から取り外す。
【０００７】
このようにフェルール固定手段を係止部材と係止部材を動かす手段という簡素な構成とすることにより、フェルール収容部に収容されたコネクタフェルールの固定及び開放を簡単に行うことができる。また、係止部材を動かす手段をベースにおけるフェルール収容部の下側に設けることにより、例えば接着剤により光ファイバをコネクタフェルールに固定する際に、係止部材を動かす手段が作業の邪魔になることが無い。
【０００８】
好ましくは、係止部材を動かす手段は、ベースの一側面側から他側面側に向けて延在するように配置されると共に、係止部材に固定された連結部材と、連結部材の一端部に固定され、連結部材をベースの一側面側から他側面側に向けて押し込むための操作部と、係止部材または連結部材の他端部とベースの内壁との間に設けられ、操作部側に付勢する弾性体とを有する。
【０００９】
このような構成では、コネクタフェルールをフェルール収容部に装着させるときは、操作部により連結部材を押し込んで、係止部材を弾性体の付勢力に抗して移動させた状態で、コネクタフェルールをフェルール収容部に収容し、その後で操作部を離す。すると、弾性体が操作部側に付勢されることで、コネクタフェルールの鍔部が係止部材によって係止される。一方、フェルール収容部に収容されたコネクタフェルールを開放するときは、操作部により連結部材を押し込んで係止部材を動かすことにより、係止部材によるコネクタフェルールの鍔部の係止状態を解除する。このように操作部を押す／離すという動作だけで、コネクタフェルールの固定及び開放をより簡単に行うことができる。
【００１０】
このとき、好ましくは、フェルール収容部は、鍔部を有するコネクタフェルールに対応した段差状を有している。この場合には、コネクタフェルールをフェルール収容部に収容した状態では、コネクタフェルールは、ベースの一側面側から他側面側に向かうベース横方向に対して拘束されることになる。これにより、コネクタフェルールがベース横方向にずれ動くことを防止できる。
【００１１】
また、フェルール収容部は、コネクタフェルールにおけるファイバ穴の両側に形成された１対のガイド孔に挿入される１対の位置決めピンを有していても良い。この場合には、位置決めピンがコネクタフェルールのガイド孔に挿入されるようにコネクタフェルールをフェルール収容部に収容すると、コネクタフェルールは、ベースの一側面側から他側面側に向かうベース横方向に対して拘束されることになる。これにより、コネクタフェルールがベース横方向にずれ動くことを防止できる。
【００１２】
このとき、係止部材は、フェルール収容部にコネクタフェルールを収容した状態において、コネクタフェルールの側面との間隔が位置決め部材保持部側に対して大きくなるような形状を有していることが好ましい。この場合には、操作部により係止部材を動かして、係止部材によるコネクタフェルールの鍔部の係止を解除したときに、コネクタフェルールの側面を指で掴みやすくなる。これにより、コネクタフェルールを容易にフェルール収容部から位置決め部材保持部側に抜き出すことができる。
【発明の効果】
【００１３】
本発明によれば、鍔部を有するコネクタフェルールの固定及び開放を簡素な構造で容易に行うことができる。これにより、光コネクタを組み立てる際の作業性が向上する。
【発明を実施するための最良の形態】
【００１４】
以下、本発明に係わる光コネクタ組立工具の好適な実施形態について図面を参照して説明する。
【００１５】
図１は、本発明に係わる光コネクタ組立工具の一実施形態を示す平面図であり、図２は図１のII−II線断面図である。各図において、本実施形態の光コネクタ組立工具１は、光ファイバテープ心線２の先端部分の被覆を除去して露出された複数本の光ファイバ３の先端面をコネクタフェルール４の接続端面に対して位置決めし、瞬間接着剤で結線するためのハンディタイプの工具である。
【００１６】
光コネクタ組立工具１はベース５を備え、このベース５には、コネクタフェルール４を保持するフェルール保持部６が設けられている。また、ベース５は、上面に開口した溝部７を有し、この溝部７には、スライダ８の下側部分が収容されている。スライダ８は、フェルール保持部６に対して近接・離間するように溝部７に沿ってベース５の前後方向に移動可能に設けられている。また、スライダ８には、位置決め部材９を保持する位置決め部材保持部１０が設けられている。
【００１７】
さらに、ベース５には、光ファイバテープ心線２を保持する心線保持部１１が取り付けられている。心線保持部１１は、フェルール保持部６に対してスライダ８の反対側に配置されていると共に、フェルール保持部６に対して上下方向（図２の矢印Ａ方向）に傾くようにフェルール保持部６に上下回転軸１２を介して回動自在に支持されている。
【００１８】
フェルール保持部６に保持されるコネクタフェルール４は、ここではＭＴフェルールである。コネクタフェルール４は、図３及び図４に示すように、直方体状のフェルール本体１３と、このフェルール本体１３の後端側に設けられた鍔部１４とを有している。
【００１９】
コネクタフェルール４のフェルール本体１３には、コネクタフェルール４の前端面（接続端面）４ａから後方に延びる複数のファイバ穴１５が設けられている。各ファイバ穴１５には、光ファイバテープ心線２の先端部分から露出された各光ファイバ３が後方から挿入される。また、フェルール本体１３には、後部のファイバ導入口１６から導入された各光ファイバ３を各ファイバ穴１５に導くための複数のガイド溝１７が設けられている。さらに、フェルール本体１３の上面部には、瞬間接着剤をコネクタフェルール４内に流し込むための接着剤充填用の窓穴部１８が形成されている。
【００２０】
コネクタフェルール４における複数のファイバ穴１５の両側には、位置決め部材９のガイドピン２２（後述）が挿入される１対のガイド孔１９が設けられている。各ガイド孔１９は、コネクタフェルール４の前端面４ａから後端面４ｂまで貫通するように形成されている。
【００２１】
位置決め部材保持部１０に保持される位置決め部材９は、図５に示すように、コネクタフェルール４と同じ構造をもったダミーフェルール２０と、ダミーフェルール２０のファイバ穴に挿入された複数本の位置決めファイバ２１と、ダミーフェルール２０のガイド孔に挿入された１対のガイドピン２２とを有している。位置決めファイバ２１は、ダミーフェルール２０の前端面２０ａから僅かに（例えば約５μｍ）突き出た状態で、接着剤によりダミーフェルール２０に固定されている。
【００２２】
図１及び図２に戻り、フェルール保持部６は保持部本体２３を有し、この保持部本体２３の上部には、コネクタフェルール４を収容するフェルール収容凹部２４が設けられている。
【００２３】
フェルール収容凹部２４は、図２及び図６に示すように、コネクタフェルール４の形状に対応した段差状を有している。具体的には、フェルール収容凹部２４は、コネクタフェルール４のフェルール本体１３を収容する領域と、コネクタフェルール４の鍔部１４を収容する領域とを有している（図９参照）。これにより、コネクタフェルール４をフェルール収容凹部２４に収容した状態では、コネクタフェルール４はベース５の横方向（ベース５の前後方向に垂直な方向）に対して拘束されるようになり、コネクタフェルール４がベース５の横方向にずれ動くことが防止される。
【００２４】
なお、コネクタフェルール４に光ファイバテープ心線２を組み付ける際には、コネクタフェルール４のファイバ導入口１６にゴムブーツ２５が嵌め込まれる。このため、保持部本体２３の上部には、ゴムブーツ２５を収容するためのブーツ収容凹部２４Ａがフェルール収容凹部２４に隣接して形成されている。
【００２５】
また、フェルール保持部６は、フェルール収容凹部２４に収容されたコネクタフェルール４をクランプするクランプレバー２６を有している。このクランプレバー２６は、図６及び図７に示すように、コネクタフェルール４の鍔部１４を先端部で係止することにより、コネクタフェルール４をクランプする断面Ｌ字型の係止部材である。
【００２６】
保持部本体２３には、上面に開口するレバー移動用穴部２７が形成されており、このレバー移動用穴部２７にクランプレバー２６の下側部分が入り込んでいる。クランプレバー２６には、連結部材２８の一端側部分が固定されている。連結部材２８は、ベース５の一側面側から他側面側に向けてベース５の横方向に延在するように配置されている。連結部材２８の他端には、連結部材２８をベース５の一側面側から他側面側に向けて押し込んでクランプレバー２６を動かすための操作ボタン２９が固定されている。
【００２７】
保持部本体２３におけるフェルール収容凹部２４の斜め下方位置には、レバー移動用穴部２７と連通しベース５の横方向に延在する連結部材収容穴３０と、この連結部材収容穴３０からベース５の一側面まで延在し、連結部材収容穴３０よりも大きい径を有する操作ボタン収容穴３１とが形成されている。そして、連結部材収容穴３０に連結部材２８が収容され、操作ボタン収容穴３１に操作ボタン２９が収容されている。操作ボタン２９は、その一端側部分がベース５の側面から突き出るように操作ボタン収容穴３１に挿入されている。また、レバー移動用穴部２７内において、クランプレバー２６と保持部本体２３の内側壁２３ａとの間には、操作ボタン２９側に付勢する弾性体であるバネ３２が配置されている。
【００２８】
ここで、連結部材２８、操作ボタン２９及びバネ３２は、フェルール収容凹部２４の下側に設けられ、コネクタフェルール４の鍔部１４を係止させる方向と鍔部１４の係止を解除させる方向とにクランプレバー２６を動かす手段を構成するものである。なお、バネ３２については、連結部材２８の一端面（操作ボタン２９の反対側の端面）と保持部本体２３の内側壁２３ａとの間に配置しても良い。
【００２９】
このようなフェルール保持部６にコネクタフェルール４を装着させるときは、まず図８に示すように、操作ボタン２９を押して連結部材２８をバネ３２側に移動させる。すると、連結部材２８に固定されたクランプレバー２６がバネ３２に抗して内側壁２３ａ側に移動し、クランプレバー２６の先端部位置がフェルール収容凹部２４からベース５の横方向に外れるため、コネクタフェルール４をフェルール収容凹部２４に載置可能となる。そして、その状態で、図９に示すようにコネクタフェルール４をフェルール収容凹部２４に置いた後、操作ボタン２９を離す。すると、図１０に示すように、バネ３２の付勢力によってクランプレバー２６が操作ボタン２９側に移動し、クランプレバー２６の先端部がコネクタフェルール４の鍔部１４に引っ掛かって係止状態となる。これにより、コネクタフェルール４がフェルール収容凹部２４からスライダ８側に抜け出ることが防止され、コネクタフェルール４が確実に固定される。
【００３０】
図１及び図２に戻り、以上のようなフェルール保持部６に対して近接・離間するように移動可能なスライダ８は、上記の位置決め部材保持部１０と、この位置決め部材保持部１０に対してバネ３３を介してベース５の前後方向に変位自在に設けられた移動フレーム３４とを有している。
【００３１】
位置決め部材保持部１０は、位置決め部材９を置くための載置台３５を有している。位置決め部材９は、ダミーフェルール２０の接続端面２０ａがフェルール保持部６に装着されたコネクタフェルール４の接続端面４ａと同じ高さ位置で対向するように載置台３５上に置かれる。また、載置台３５は、フローティング機能（図示せず）を有している。これにより、コネクタフェルール４と位置決め部材９との間に多少の位置ズレがあっても、位置決め部材９のガイドピン２２をコネクタフェルール４のガイド孔１９に差し込むことができる。
【００３２】
また、スライダ８は、フェルール保持部６に向けて移動して、位置決め部材９のダミーフェルール２０をコネクタフェルール４に当接させたときに、移動フレーム３４の位置を規定するロック機能（図示せず）を有している。なお、ベース５には、移動フレーム３４のロックを解除するためのリリースボタン３６が設けられている。
【００３３】
フェルール保持部６に対してスライダ８の反対側に配置された心線保持部１１は、保持部本体３７を有している。この保持部本体３７の上面には、ベース５の前後方向に延在し、光ファイバテープ心線２を収容させるファイバガイド溝３８が設けられている。保持部本体３７の上面におけるファイバガイド溝３８の一側には、ファイバガイド溝３８に沿って延在する取付ロッド３９が配置されている。この取付ロッド３９には、ファイバガイド溝３８に収容された光ファイバテープ心線２を上から押さえる心線送り蓋４０と、ファイバガイド溝３８に収容された光ファイバテープ心線２をクランプする心線固定蓋４１とが取り付けられている。
【００３４】
心線送り蓋４０は、取付ロッド３９に沿って心線保持部１１の前後方向（ファイバガイド溝３８の延在方向）に移動可能である。これにより、ファイバガイド溝３８に収容された光ファイバテープ心線２を、心線送り蓋４０により押さえ付けた状態で心線保持部１１の前後方向に動かすことができる。また、心線送り蓋４０は、図１１に示すように、取付ロッド３９を貫通させる軸孔４２を有し、取付ロッド３９に回動自在に支持されている。
【００３５】
心線固定蓋４１は、心線送り蓋４０の後側（心線送り蓋４０に対してフェルール保持部６の反対側）において取付ロッド３９に回動自在に支持されている。心線固定蓋４１は、心線送り蓋４０と離間して配置され、ファイバガイド溝３８に収容された光ファイバテープ心線２を上から押さえる心線押さえ部４３と、この心線押さえ部４３と一体化され、ファイバガイド溝３８に沿って延在して心線送り蓋４０を上から押さえる送り蓋押さえ部４４とを有している。送り蓋押さえ部４４は、心線固定蓋４１を閉じたときに、ファイバガイド溝３８の側方において延在するように構成されている。
【００３６】
次に、以上のように構成した光コネクタ組立工具１を用いて、光ファイバテープ心線２をコネクタフェルール４に組み付けることにより、光コネクタを組み立てる手順について説明する。
【００３７】
まず、操作ボタン２９を押した状態でフェルール保持部６のフェルール収容凹部２４にコネクタフェルール４を置いた後、操作ボタン２９を離すことにより、コネクタフェルール４をフェルール収容凹部２４に固定する。また、スライダ８の位置決め部材保持部１０に位置決め部材９を装着させる。そして、その状態で、図１２（ａ）に示すように、光ファイバテープ心線２の先端部分から露出された各光ファイバ３をコネクタフェルール４の各ファイバ穴１５に挿入する。
【００３８】
具体的には、図１３に示すように、心線保持部１１において、心線送り蓋４０及び心線固定蓋４１を開いた状態で、ファイバガイド溝３８に光ファイバテープ心線２を収容する。その後、心線送り蓋４０を回動させて閉じ、心線送り蓋４０で光ファイバテープ心線２を押さえる。
【００３９】
続いて、図１４に示すように、指で心線送り蓋４０を押し付けて光ファイバテープ心線２を押さえたままの状態で、心線送り蓋４０をフェルール保持部６に向けて動かすことにより、光ファイバテープ心線２を前進させ、各光ファイバ３をコネクタフェルール４の各ファイバ穴１５に挿入する。このとき、図１５に示すように、コネクタフェルール４のファイバ導入口１６に組み込まれたゴムブーツ２５からコネクタフェルール４内に各光ファイバ３を入れ、各光ファイバ３の先端部が所定長だけコネクタフェルール４の前端面４ａから突き出るように各ファイバ穴１５に貫通させる。
【００４０】
このようなコネクタフェルール４内への光ファイバ３の挿入時に、各光ファイバ３がコネクタフェルール４に当たって、コネクタフェルール４がフェルール収容凹部２４からスライダ８側にずれ動きそうになっても、コネクタフェルール４はクランプレバー２６によりクランプされているので、コネクタフェルール４がフェルール収容凹部２４から外れることは無い。
【００４１】
続いて、図１６に示すように、心線固定蓋４１を回動させて閉じ、心線固定蓋４１の心線押さえ部４３で光ファイバテープ心線２の一部を押さえてクランプすると共に、心線固定蓋４１の送り蓋押さえ部４４で心線送り蓋４０を押さえてクランプする（図１８も参照）。
【００４２】
次いで、図１２（ｂ）に示すように、位置決め部材９のダミーフェルール２０の接続端面２０ａをコネクタフェルール４の接続端面４ａに押し当てて、各光ファイバ３の先端位置を位置決めする。
【００４３】
具体的には、図１７及び図１８に示すように、手でスライダ８をフェルール保持部６に向けて前進させることで、位置決め部材９のガイドピン２２をコネクタフェルール４のガイド孔１９に嵌合させ、ダミーフェルール２０とコネクタフェルール４とを当接させる。
【００４４】
すると、ダミーフェルール２０の接続端面２０ａから僅かに突き出た各位置決めファイバ２１の先端面が、コネクタフェルール４に挿入された各光ファイバ３の先端面と突き当たる。このため、各光ファイバ３が後退するが、光ファイバテープ心線２は心線送り蓋４０及び心線固定蓋４１により押さえ付けられているため、心線送り蓋４０と心線固定蓋４１の心線押さえ部４３との間で光ファイバテープ心線２が上方に撓むようになる。これにより、図１９に示すように、各光ファイバ３の先端位置は、位置決めファイバ２１の突出量と同じ長さだけ、コネクタフェルール４の接続端面４ａからコネクタフェルール４内に引っ込んだ状態となる。
【００４５】
次いで、図１２（ｃ）に示すように、接着剤Ｓの入った接着剤容器４５を用意し、コネクタフェルール４の窓穴部１８よりコネクタフェルール４内に接着剤Ｓを塗布して硬化させる。これにより、図２０に示すように、各光ファイバ３がコネクタフェルール４に接着固定され、光コネクタ４６が完成する。
【００４６】
次いで、図１２（ｄ）に示すように、スライダ８をフェルール保持部６から離れるようにベース５の後方に移動させる。そして、フェルール保持部６の操作ボタン２９を押して、クランプレバー２６によるコネクタフェルール４の鍔部１４の係止を解除することにより、光コネクタ４６を開放する。そして、例えば光ファイバテープ心線２を持ち上げて、光コネクタ４６をフェルール保持部６から取り外す。
【００４７】
以上のような本実施形態の光コネクタ組立工具１にあっては、フェルール保持部６の保持部本体２３にフェルール収容凹部２４を形成すると共に、クランプレバー２６、連結部材２８、操作ボタン２９及びバネ３２をフェルール保持部６に設け、フェルール収容凹部２４に収容されたコネクタフェルール４の鍔部１４を係止することで、コネクタフェルール４を保持部本体２３に固定させる。これにより、操作ボタン２９を操作するだけで、コネクタフェルール４の固定・開放を簡単に実施することができる。従って、フェルール保持部６へのコネクタフェルール４の装着作業を容易に行うことが可能となる。
【００４８】
また、連結部材２８、操作ボタン２９及びバネ３２といったクランプレバー２６を動かすための部材を保持部本体２３の内部に設けたので、接着剤Ｓにより光ファイバ３をコネクタフェルール４に接着固定する際に、それらの部材が手や接着剤容器４５に干渉して作業が行いにくくなることは無い。これにより、接着剤Ｓを塗布する作業についても、手間をかけずに容易に行うことが可能である。
【００４９】
図２１は、本発明に係わる光コネクタ組立工具の他の実施形態を示す断面図であり、図２２は図２１のXXII−XXII線断面図である。図中、上述した実施形態と同一または同等の部材には同じ符号を付し、その説明を省略する。
【００５０】
各図において、本実施形態の光コネクタ組立工具５０は、上記実施形態におけるフェルール収容凹部２４に代えて、フェルール収容凹部５１を有している。フェルール収容凹部５１の底面は、上記のフェルール収容凹部２４と異なり、平坦となっている。フェルール収容凹部５１の一側面には、スライダ８側に延在し、コネクタフェルール４の各ガイド孔１９に挿入される１対の位置決めピン５２が突設されている。このような位置決めピン５２がコネクタフェルール４のガイド孔１９に差し込まれると、コネクタフェルール４はベース５の横方向に対して拘束されるため、コネクタフェルール４がベース５の横方向にずれ動くことが防止される。
【００５１】
ここで、位置決めピン５２とガイド孔１９との間にクリアランスが殆ど無いと、位置決めピン５２をガイド孔１９に差し込みにくくなり、フェルール収容凹部５１へのコネクタフェルール４の装着や取り外しが困難になり、最悪の場合には誤って位置決めピン５２を曲げてしまう可能性がある。このため、位置決めピン５２は、ガイド孔１９との間にある程度のクリアランスをもつように構成されている。
【００５２】
また、光コネクタ組立工具５０のフェルール保持部６は、上記実施形態におけるクランプレバー２６とは形状のみ異なるクランプレバー５３を有している。クランプレバー５３を動かす手段は、上記実施形態と同様である。このようなクランプレバー５３によりコネクタフェルール４の鍔部１４を係止することにより、コネクタフェルール４内への光ファイバ３の挿入時に各光ファイバ３がコネクタフェルール４に当たっても、コネクタフェルール４が位置決めピン５２が外れることは無い。
【００５３】
クランプレバー５３の先端部５３ａは、図２３に示すように、フェルール収容凹部５１にコネクタフェルール４を収容した状態において、コネクタフェルール４の側面とクランプレバー５３との距離Ｐがスライダ８側に対して大きくなるようなテーパ形状を有しているのが好ましい。
【００５４】
コネクタフェルール４がフェルール収容凹部５１に収容されるときは、コネクタフェルール４のガイド孔１９に位置決めピン５２が差し込まれる。このため、コネクタフェルール４をフェルール収容凹部５１から取り外すためには、クランプレバー５３によるコネクタフェルール４の鍔部１４の係止を解除した状態で、コネクタフェルール４の両側面を指で掴んで、コネクタフェルール４を位置決めピン５２からスライダ８側に引き抜くことになる。クランプレバー５３の先端部５３ａの形状を上記のようにテーパ形状とすることにより、クランプレバー５３によるコネクタフェルール４の鍔部１４の係止を解除したときに、コネクタフェルール４の側面とクランプレバー５３との間に大きな隙間が形成されるようになるため、コネクタフェルール４の両側面を掴みやすくなる。従って、フェルール収容凹部５１に収容されたコネクタフェルール４を簡単にフェルール収容凹部５１から取り外すことができる。
【００５５】
なお、本発明は、上記実施形態に限定されるものではない。例えば、上記実施形態では、位置決め部材９を、コネクタフェルール４と同じ構造のダミーフェルール２０を有するものとしたが、位置決め部材９としては、コネクタフェルール４と異なる構造を有するものを使用しても良い。また、コネクタフェルール４に挿入された光ファイバ３と突き合わせる部材は、上記の位置決め用ファイバ２０に限られず、光ファイバ３と同等の径を持った金属棒やプラスチック棒等であっても良い。
【００５６】
また、上記実施形態では、光ファイバ３の先端面がコネクタフェルール４内に引っ込んだ状態で、光ファイバ３をコネクタフェルール４に接着固定するものとしたが、光ファイバ３の先端面がコネクタフェルール４の接続端面４ａと面一である構成や、光ファイバ３がコネクタフェルール４の接続端面４ａから突き出た構成としても良い。
【００５７】
さらに、上記実施形態は、多心の光ファイバテープ心線２をＭＴ型のコネクタフェルール４に組み付けるものであるが、本発明の光コネクタ組立工具は、鍔部を有するコネクタフェルールに光ファイバ心線を組み付けるものであれば、単心・多心に係わらず適用可能である。
【図面の簡単な説明】
【００５８】
【図１】本発明に係わる光コネクタ組立工具の一実施形態を示す平面図である。
【図２】図１のII−II線断面図である。
【図３】図１に示すコネクタフェルールの斜視図である。
【図４】図３に示すコネクタフェルールの断面図である。
【図５】図１に示す位置決め部材の斜視図である。
【図６】図１に示すフェルール保持部の拡大平面図である。
【図７】図１のVII−VII線断面図である。
【図８】図７に示すクランプレバーを動かした状態を示す断面図である。
【図９】図６に示すフェルール収容凹部に収容されたコネクタフェルールがクランプレバーでクランプされていない状態を示す断面図である。
【図１０】図６に示すフェルール収容凹部に収容されたコネクタフェルールがクランプレバーでクランプされた状態を示す断面図である。
【図１１】図１のXI−XI線断面図である。
【図１２】図１及び図２に示す光コネクタ組立工具を用いて光コネクタを組み立てる手順を示す概念図である。
【図１３】図２に示すファイバガイド溝に光ファイバテープ心線を収容して心線送り蓋を閉じた状態を示す断面図である。
【図１４】図１３に示す心線送り蓋を移動させて光ファイバをコネクタフェルールに挿入した状態を示す断面図である。
【図１５】図４に示すコネクタフェルールに光ファイバを挿入した状態を示す断面図である。
【図１６】図１４に示す心線固定蓋を閉じた状態を示す断面図である。
【図１７】図１６に示すスライダを移動させて位置決め部材をコネクタフェルールに押し当てた状態を示す断面図である。
【図１８】図１６に示すスライダを移動させて位置決め部材をコネクタフェルールに押し当てた状態を示す平面図である。
【図１９】図１５に示す光ファイバの先端位置を規定した状態を示す断面図である。
【図２０】図１９に示すコネクタフェルールに光ファイバを接着固定した状態を示す断面図である。
【図２１】本発明に係わる光コネクタ組立工具の他の実施形態を示す断面図である。
【図２２】図２１のXXII−XXII線断面図である。
【図２３】図２１に示すフェルール保持部の拡大平面図である。
【符号の説明】
【００５９】
１…光コネクタ組立工具、２…光ファイバテープ心線（光ファイバ心線）、３…光ファイバ、４…コネクタフェルール、５…ベース、６…フェルール保持部、８…スライダ、９…位置決め部材、１０…位置決め部材保持部、１１…心線保持部、１４…鍔部、１５…ファイバ穴、１９…ガイド孔、２１…位置決めファイバ、２３…保持部本体、２３ａ…内側壁、２４…フェルール収容凹部（フェルール収容部）、２６…クランプレバー（係止部材、フェルール固定手段）、２８…連結部材（フェルール固定手段）、２９…操作ボタン（操作部、フェルール固定手段）、３２…バネ（弾性体、フェルール固定手段）、５０…光コネクタ組立工具、５１…フェルール収容凹部（フェルール収容部）、５２…位置決めピン、５３…クランプレバー（係止部材、フェルール固定手段）。
【図１】
2006113152.tif 000003
【図２】
2006113152.tif 000004
【図３】
2006113152.tif 000005
【図４】
2006113152.tif 000006
【図５】
2006113152.tif 000007
【図６】
2006113152.tif 000008
【図７】
2006113152.tif 000009
【図８】
2006113152.tif 000010
【図９】
2006113152.tif 000011
【図１０】
2006113152.tif 000012
【図１１】
2006113152.tif 000013
【図１２】
2006113152.tif 000014
【図１３】
2006113152.tif 000015
【図１４】
2006113152.tif 000016
【図１５】
2006113152.tif 000017
【図１６】
2006113152.tif 000018
【図１７】
2006113152.tif 000019
【図１８】
2006113152.tif 000020
【図１９】
2006113152.tif 000021
【図２０】
2006113152.tif 000022
【図２１】
2006113152.tif 000023
【図２２】
2006113152.tif 000024
【図２３】
2006113152.tif 000025